(57)【要約】  【課題】  操作対象の電気機器の位置に関係なく、また、リモートコントローラの向きに関係なく、ＬＥＤの出射光が電気機器に届くように構成したリモートコントローラを提供する。  【解決手段】  ＬＥＤ２３から光が出射されると、その出射光は反射透過物質２４で反射すると共に透過する。例えば出射光Ｌ１の６０％は反射透過物質２４を透過し（透過光Ｌ３）、その出射光Ｌ１の４０％は反射透過物質２４で反射し、この反射光Ｌ２は反射透過物質２４の他の面に届き、その反射光Ｌ２の６０％が反射透過物質２４を透過し（透過光Ｌ５）、その反射光Ｌ２の４０％が反射する（反射光Ｌ４）。このような反射および透過を繰り返すことによって、赤外光ＬＥＤ２３からの出射光は反射透過物質２４の全面から出射されるので、電気機器の位置やリモートコントローラの向きに関係なく電気機器の操作が可能になる。【選択図】      図１
2006238388.tif 000002
【特許請求の範囲】
【請求項１】
発光素子から出射された光信号により電気機器を遠隔操作するリモートコントローラに
おいて、上面に複数のキースイッチが配置され、前面部が三角形状に形成された筐体と、
前記三角形状の先端に発光面が突出して取り付けられた発光素子と、前記発光素子の発光
面が挿入される孔が形成された略球体の形状を有し、前記発光素子の出射光が前記略球体
の内面に照射された時に所定の反射率で反射させると共に前記反射率よりも大きい所定の
透過率で透過させる性質を持ち、前記発光素子の発光面に対して所定間隔を置いて前記発
光面を囲み、前記筐体の前面部に取り付けられた反射透過物質とを備えたことを特徴とす
るリモートコントローラ。
【請求項２】
発光素子から出射された光信号により電気機器を遠隔操作するリモートコントローラに
おいて、上面に複数のキースイッチが配置され、発光素子が突出して取り付けられる前面
部を有する筐体と、前記発光素子の発光面が挿入される孔が形成された略球体の形状を有
し、前記発光素子の出射光が前記略球体の内面に照射された時に所定の反射率で反射させ
ると共に所定の透過率で透過させる性質を持ち、前記発光素子の発光面に対して所定間隔
を置いて前記発光面を囲み、前記筐体の前面部に取り付けられた反射透過物質とを備えた
ことを特徴とするリモートコントローラ。
【請求項３】
前記反射透過物質における透過率は反射率よりも大きくしたことを特徴とする請求項２
に記載のリモートコントローラ。
【請求項４】
前記筐体の前面部は三角形状に形成されたことを特徴とする請求項２に記載のリモート
コントローラ。
【発明の詳細な説明】
【技術分野】
【０００１】
本発明は、発光素子から出射された光信号により電気機器を遠隔操作するリモートコン
トローラに関する。
【背景技術】
【０００２】
従来から、テレビジョン受信機、オーディオ機器、ビデオ機器、空調機などの電気機器
は、遠隔操作するのにリモートコントローラが用いられている。このようなリモートコン
トローラは、電波を用いて操作信号を送信するものや、超音波を用いて操作信号を送信す
るもの、あるいは赤外線などの光を用いて操作信号を送信するものがあるが、近年は、赤
外線などの光を用いて操作信号を送信するリモートコントローラが主流になってきている
。
【０００３】
光を用いて操作信号を送信するリモートコントローラとしては、例えば特許文献１に示
される光制御遠隔操作器が知られている。図３はこの光制御遠隔操作器の要部構成を示す
断面図である。また、図４はこの光制御遠隔操作器の上面図である。
【０００４】
図３および図４において、光透過性フィルタ２は、図示のように半球形で、外体（筐体
）３の一面に半球形部が突出されて固着されている。そして、無指向性の発光素子１は、
発光部を光透過性フィルタ２の半球形部の球形の中心にほぼ一致して配置されている。発
光素子１は、他の各種操作スイッチなどの電子部品、あるいはその他の構成部品と共に半
田付けなどで印刷配線板４に固定され、この印刷配線板４は光透過性フィルタ２を固着し
た外体３に組み込まれ固定される。発光素子１の発光部は、光透過性フィルタ２が外体３
への取付面よりも突出させ、かつ、光透過性フィルタ２の半球形部を構成する球形の中心
にほぼ一致させて配置固定させる。
【０００５】
このような構成により、発光素子１の出射光は、外体３によって遮蔽されることがなく
、かつ、その出射光は、光透過性フィルタ２の内面から法線方向に通過して、操作対象の
電気機器を照射して操作することができる。
【特許文献１】実開昭６３−７０７４７号公報
【発明の開示】
【発明が解決しようとする課題】
【０００６】
しかしながら、この光制御遠隔操作器において、発光素子１の発光面は略半球形状をし
ているので、外体３を持上げて立てた状態のとき、外体３の裏面方向に操作対象の電気機
器が位置していた場合には、外体３の向きを変えない限り、外体３の裏面方向に位置して
いる電気機器には出射光が届かず、電気機器を操作することができなくなるという課題が
生じる。
【０００７】
本発明は、上記のような課題を解決するためになされたもので、操作対象の電気機器の
位置に関係なく、また、リモートコントローラの向きに関係なく、発光素子の出射光が電
気機器に届くように構成したリモートコントローラを提供することを目的とする。
【課題を解決するための手段】
【０００８】
上記目的を達成するために、請求項１の発明は、発光素子から出射された光信号により
電気機器を遠隔操作するリモートコントローラにおいて、上面に複数のキースイッチが配
置され、前面部が三角形状に形成された筐体と、前記三角形状の先端に発光面が突出して
取り付けられた発光素子と、前記発光素子の発光面が挿入される孔が形成された略球体の
形状を有し、前記発光素子の出射光が前記略球体の内面に照射された時に所定の反射率で
反射させると共に前記反射率よりも大きい所定の透過率で透過させる性質を持ち、前記発
光素子の発光面に対して所定間隔を置いて前記発光面を囲み、前記筐体の前面部に取り付
けられた反射透過物質とを備えたことを特徴とするリモートコントローラを提供する。
【０００９】
この構成において、発光素子から光が出射されると、その出射光は反射透過物質で反射
すると共に透過する。例えば、反射率が４０％で、透過率が６０％であり、１本の出射光
が反射透過物質に届いたと仮定すると、その１本の出射光の６０％は反射透過物質を透過
し、その出射光の４０％は反射透過物質で反射し、この反射光は反射透過物質の他の面に
届き、その反射光の６０％が反射透過物質を透過し、その反射光の４０％が反射する。こ
のような反射および透過を繰り返すことによって、発光素子からの出射光は反射透過物質
の全面から出射され、発光素子の発光面が突出して取り付けらている筐体の前面部が三角
形状になっているので、発光素子の出射光は筐体の後方までも届き、これによって、操作
される電気機器がリモートコントローラの後方に位置していても、また、リモートコント
ローラの向きに関係なく、電気機器の操作が可能になる。
【００１０】
この構成によれば、発光素子からの出射光は反射透過物質の全面から出射され、発光素
子の発光面が突出して取り付けらている筐体の前面部が三角形状になっているので、発光
素子の出射光は筐体の後方までも届き、これにより、操作される電気機器がリモートコン
トローラの後方に位置していても、操作が可能になる。また、筐体の前面部に反射透過物
質が設けれているので、発光素子の出射光は、筐体の前後方向および表方向はもちろん裏
方向にも出射され、したがって、リモートコントローラの向きに関係なく、電気機器の操
作が可能になる。
【００１１】
即ち、操作対象の電気機器の位置に関係なく、また、リモートコントローラの向きに関
係なく、発光素子の出射光が電気機器に届き、したがって、ユーザは、電気機器の位置を
気にせずにリモートコントローラを操作すれば良いので、使い勝手が大変良くなる。
【００１２】
請求項２の発明は、発光素子から出射された光信号により電気機器を遠隔操作するリモ
ートコントローラにおいて、上面に複数のキースイッチが配置され、発光素子の発光面が
突出して取り付けられる前面部を有する筐体と、前記発光素子の発光面が挿入される孔が
形成された略球体の形状を有し、前記発光素子の出射光が前記略球体の内面に照射された
時に所定の反射率で反射させると共に所定の透過率で透過させる性質を持ち、前記発光素
子の発光面に対して所定間隔を置いて前記発光面を囲み、前記筐体の前面部に取り付けら
れた反射透過物質とを備えたことを特徴とするリモートコントローラを提供する。
【００１３】
この構成において、発光素子から光が出射されると、その出射光は反射透過物質で反射
すると共に透過する。このような反射および透過を繰り返すことによって、発光素子から
の出射光は反射透過物質の全面から出射され、発光素子の発光面が筐体の前面部に突出し
て取り付けらているので、発光素子の出射光は筐体の後方までも届き、これによって、操
作される電気機器がリモートコントローラの後方に位置していても、また、リモートコン
トローラの向きに関係なく、電気機器の操作が可能になる。
【００１４】
この構成によれば、発光素子からの出射光は反射透過物質の全面から出射され、発光素
子の発光面が突出して取り付けらている筐体の前面部が三角形状になっているので、発光
素子の出射光は筐体の後方までも届き、これにより、操作される電気機器がリモートコン
トローラの後方に位置していても、操作が可能になる。また、筐体の前面部に反射透過物
質が設けれているので、発光素子の出射光は、筐体の前後方向および表方向はもちろん裏
方向にも出射され、したがって、リモートコントローラの向きに関係なく、電気機器の操
作が可能になる。
【００１５】
即ち、操作対象の電気機器の位置に関係なく、また、リモートコントローラの向きに関
係なく、発光素子の出射光が電気機器に届き、したがって、ユーザは、電気機器の位置を
気にせずにリモートコントローラを操作すれば良いので、使い勝手が大変良くなる。
【００１６】
請求項３の発明では、請求項２の発明において、前記反射透過物質における透過率は反
射率よりも大きくしたので、発光素子からの出射光は、初めとは別方向に反射透過物質か
ら効率良く出射することが可能になる。
【００１７】
請求項４の発明では、請求項２の発明において、前記筐体の前面部は三角形状に形成さ
れたので、反射透過物質からの出射光は筐体の後方の向きにも届き易くなる。
【発明の効果】
【００１８】
以上のように本発明によれば、発光素子から出射された光信号により電気機器を遠隔操
作するリモートコントローラにおいて、上面に複数のキースイッチが配置され、前面部が
三角形状に形成された筐体と、前記三角形状の先端に発光面が突出して取り付けられた発
光素子と、前記発光素子の発光面が挿入される孔が形成された略球体の形状を有し、前記
発光素子の出射光が前記略球体の内面に照射された時に所定の反射率で反射させると共に
前記反射率よりも大きい所定の透過率で透過させる性質を持ち、前記発光素子の発光面に
対して所定間隔を置いて前記発光面を囲み、前記筐体の前面部に取り付けられた反射透過
物質とを備えたので、発光素子からの出射光は反射透過物質の全面から出射され、発光素
子の発光面が突出して取り付けらている筐体の前面部が三角形状になっていて、発光素子
の出射光は筐体の後方までも届き、これにより、操作される電気機器がリモートコントロ
ーラの後方に位置していても、操作が可能になる。また、筐体の前面部に反射透過物質が
設けれているので、発光素子の出射光は、筐体の前後方向および表方向はもちろん裏方向
にも出射され、したがって、リモートコントローラの向きに関係なく、電気機器の操作が
可能になる。
【００１９】
即ち、操作対象の電気機器の位置に関係なく、また、リモートコントローラの向きに関
係なく、発光素子の出射光が電気機器に届き、したがって、ユーザは、電気機器の位置を
気にせずにリモートコントローラを操作すれば良いので、使い勝手が大変良くなる。
【００２０】
また、本発明によれば、発光素子から出射された光信号により電気機器を遠隔操作する
リモートコントローラにおいて、上面に複数のキースイッチが配置され、発光素子の発光
面が突出して取り付けられる前面部を有する筐体と、発光素子の発光面が挿入される孔が
形成された略球体の形状を有し、前記発光素子の出射光が前記略球体の内面に照射された
時に所定の反射率で反射させると共に所定の透過率で透過させる性質を持ち、前記発光素
子の発光面に対して所定間隔を置いて前記発光面を囲み前記筐体の前面部に取り付けられ
た反射透過物質とを備えたので、発光素子からの出射光は反射透過物質の全面から出射さ
れ、発光素子の発光面が突出して取り付けらている筐体の前面部が三角形状になっていて
、発光素子の出射光は筐体の後方までも届き、これにより、操作される電気機器がリモー
トコントローラの後方に位置していても、操作が可能になる。また、筐体の前面部に反射
透過物質が設けれているので、発光素子の出射光は、筐体の前後方向および表方向はもち
ろん裏方向にも出射され、したがって、リモートコントローラの向きに関係なく、電気機
器の操作が可能になる。
【００２１】
即ち、操作対象の電気機器の位置に関係なく、また、リモートコントローラの向きに関
係なく、発光素子の出射光が電気機器に届き、したがって、ユーザは、電気機器の位置を
気にせずにリモートコントローラを操作すれば良いので、使い勝手が大変良くなる。
【発明を実施するための最良の形態】
【００２２】
以下、添付図面を参照しつつ、本発明の実施の形態について説明する。図１は本発明の
一実施形態に係るリモートコントローラに備えられる赤外光ＬＥＤおよび反射透過物質の
構成を説明するための要部断面図である。なお、ここでは、発光素子として赤外光ＬＥＤ
を用いているが、これに限らず、白色光ＬＥＤであっても良い。
【００２３】
図１において、カソード電極２１とアノード電極２２を有する発光素子としての赤外光
ＬＥＤ２３は、操作対象の電気機器を遠隔操作するための光信号を出射するものである。
ハーフミラーや液晶などで実現される反射透過物質２４は、赤外光ＬＥＤ２３の発光面が
挿入される孔が形成された略球体の形状を有し、赤外光ＬＥＤ２３の出射光が略球体の内
面に照射された時に所定の反射率（例えば４０％）で反射させると共に、反射率よりも大
きい所定の透過率（例えば６０％）で透過させる性質を持ち、赤外光ＬＥＤ２３の発光面
に対して所定間隔を置いて前記発光面を囲み、筐体Ｊ（図２参照）の三角形状の前面部に
取り付けられている。
【００２４】
図２は本実施形態において例えばテレビジョン受信機のリモートコントローラの簡略化
した構成を示す上面図である。このリモートコントローラＡにおいて、筐体Ｊにおける三
角形状の前面部の先端には、赤外光ＬＥＤ２３が取り付けられている。そして、反射透過
物質２４は、赤外光ＬＥＤ２３の発光面に対して所定間隔を置いて前記発光面を囲み、筐
体Ｊにおける三角形状の前面部に取り付けられている。筐体Ｊの上面には、電源キースイ
ッチＢ、数字１〜１２の数字キースイッチＣ、カーソルキースイッチＤ，Ｅ，Ｆ，Ｇ、音
量キースイッチＨ、決定キースイッチＩなどが配置されている。
【００２５】
図１および図２において、このリモートコントローラＡの何れかのキースイッチを押下
すると、赤外光ＬＥＤ２３から光が出射され、この出射光は反射透過物質２４で反射する
と共に透過する。例えば、反射率が４０％で、透過率が６０％であり、赤外光ＬＥＤ２３
からの１本の出射光Ｌ１が反射透過物質２４に届いたと仮定すると、その１本の出射光Ｌ
１の６０％は反射透過物質２４を透過し（透過光Ｌ３）、その出射光Ｌ１の４０％は反射
透過物質２４で反射し、この反射光Ｌ２は反射透過物質２４の他の面に届き、その反射光
Ｌ２の６０％が反射透過物質２４を透過し（透過光Ｌ５）、その反射光Ｌ２の４０％が反
射する（反射光Ｌ４）。更に、その反射光Ｌ４の６０％が反射透過物質２４を透過し（透
過光Ｌ７）、その反射光Ｌ２の４０％が反射する（反射光Ｌ６）。
【００２６】
このような反射および透過を繰り返すことによって、赤外光ＬＥＤ２３からの出射光は
反射透過物質２４の全面から出射され、赤外光ＬＥＤ２３の発光面が突出して取り付けら
ている筐体Ｊの前面部が三角形状になっているので、赤外光ＬＥＤ２３の出射光は筐体Ｊ
の後方までも届き、これによって、操作される電気機器がリモートコントローラＡの後方
に位置していても、操作が可能になる。また、筐体Ｊの前面部に反射透過物質２４が設け
れているので、赤外光ＬＥＤ２３の出射光は、筐体Ｊの前後方向および表方向はもちろん
裏方向にも出射され、したがって、リモートコントローラの向きに関係なく、電気機器の
操作が可能になる。
【００２７】
以上説明したように実施形態によれば、赤外光ＬＥＤ２３からの出射光は反射透過物質
２４の全面から出射され、赤外光ＬＥＤ２３の発光面が突出して取り付けらている筐体Ｊ
の前面部が三角形状になっているので、赤外光ＬＥＤ２３の出射光は筐体Ｊの後方までも
届き、これにより、操作される電気機器がリモートコントローラＡの後方に位置していて
も、操作が可能になる。また、筐体Ｊの前面部に反射透過物質２４が設けれているので、
赤外光ＬＥＤ２３の出射光は、筐体Ｊの前後方向および表方向はもちろん裏方向にも出射
され、したがって、リモートコントローラＡの向きに関係なく、電気機器の操作が可能に
なる。
【００２８】
即ち、操作対象の電気機器の位置に関係なく、また、リモートコントローラＡの向きに
関係なく、赤外光ＬＥＤ２３の出射光が電気機器に届き、したがって、ユーザは、電気機
器の位置を気にせずにリモートコントローラを操作すれば良いので、使い勝手が大変良く
なる。
【図面の簡単な説明】
【００２９】
【図１】本発明の一実施形態に係るリモートコントローラに備えられる赤外光ＬＥＤおよび反射透過物質の構成を説明するための要部断面図である。
【図２】前記実施形態において例えばテレビジョン受信機のリモートコントローラの簡略化した構成を示す上面図である。
【図３】特許文献１に示される光制御遠隔操作器の要部構成を示す断面図である。
【図４】特許文献１に示される光制御遠隔操作器の上面図である。
【符号の説明】
【００３０】
Ａ    リモートコントローラ
Ｊ    筐体
２３    赤外光ＬＥＤ
２４    反射透過物質
【図１】
2006238388.tif 000003
【図２】
2006238388.tif 000004
【図３】
2006238388.tif 000005
【図４】
2006238388.tif 000006